【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
光学装置であって、
入力光信号の少なくとも１つの源に光学的に結合されるよう構成され、少なくとも１つの光検出器に光学的に結合されるよう構成され、かつ複数の反射検知素子に光学的に結合されるよう構成された少なくとも１つの光バスを備え、
少なくとも１つの光バスは、複数の反射検知素子のうち少なくとも１つの反射検知素子が入力光信号の一部を受信し、受信された部分のうち少なくとも一部を反射するように入力光信号を少なくとも１つの源から複数の反射検知素子に送信し、
少なくとも１つの光バスは、反射された部分を少なくとも１つの光検出器に送信し、
少なくとも１つの光バスは、分配バスとリターンバスとを備え、前記分配バスは、少なくとも１つの源に光学的に結合されるよう構成され、前記分配バスは、少なくとも２つの分配光カプラを備え、前記少なくとも２つの分配光カプラは各々、入力光信号を分配バスに沿って送信される部分と、複数の反射検知素子のうち少なくとも１つの反射検知素子に送信される部分とに分割し、前記リターンバスは、少なくとも１つの光検出器に光学的に結合され、前記リターンバスは、少なくとも２つのリターン光カプラを含み、前記少なくとも２つのリターン光カプラは各々、複数の反射検知素子の多重反射検知素子からの反射された部分を送信し、前記複数の反射検知素子のうち少なくとも１つの反射検知素子は、少なくとも１つの分配光カプラによって分配バスに光学的に結合され、少なくとも１つの分配光カプラによってリターンバスに光学的に結合されるか、または、少なくとも１つのリターン光カプラによってリターンバスに光学的に結合され、少なくとも１つのリターン光カプラによって分配バスに光学的に結合される、光学装置。
【請求項２】
少なくとも１つの反射検知素子は、少なくとも１つの分配光カプラによって分配バスに光学的に結合され、少なくとも１つのリターン光カプラおよび少なくとも１つの分配光カプラによってリターンバスに光学的に結合される、請求項２に記載の装置。
【請求項３】
少なくとも１つの反射検知素子は、少なくとも１つのリターン光カプラによってリターンバスに光学的に結合され、少なくとも１つの分配光カプラおよび少なくとも１つのリターン光カプラによって分配バスに光学的に結合される、請求項２に記載の装置。
【請求項４】
少なくとも１つの光バスは少なくとも１つの光サーキュレータを含み、前記少なくとも１つの光サーキュレータは、少なくとも１つの反射検知素子を分配バスおよびリターンバスに光学的に結合する、請求項２に記載の装置。
【請求項５】
少なくとも１つの光バスは第３の光カプラを含み、前記第３の光カプラは、少なくとも１つの反射検知素子を分配バスおよびリターンバスに光学的に結合する、請求項２に記載の装置。
【請求項６】
少なくとも１つの反射検知素子は少なくとも１つのセンサを備える、請求項２に記載の装置。
【請求項７】
少なくとも１つの反射検知素子は、
分割カプラと、
分割カプラに光学的に結合された複数のセンサとを備える、請求項２に記載の装置。
【請求項８】
少なくとも１つの反射検知素子は、分割カプラに光学的に結合され、複数のセンサのうち対応するセンサに光学的に結合された複数の遅延素子をさらに備える、請求項１０に記載の装置。
【請求項９】
分割カプラは波長分割マルチプレクサである、請求項１０に記載の装置。
【請求項１０】
少なくとも１つの光バスはさらに、レーザポンプ源に光学的に結合されるよう構成される、請求項２に記載の装置。
【請求項１１】
少なくとも１つの光バスは、入力光信号の部分が少なくとも１つの反射検知素子によって受信される前に増幅されるように位置決めされた少なくとも１つの光増幅器を備える、請求項２に記載の装置。
【請求項１２】
少なくとも１つの光バスは、反射された部分を増幅するよう位置決めされた少なくとも１つの光増幅器を備える、請求項２に記載の装置。
【請求項１３】
少なくとも１つの光バスは、
入力光信号の第１の部分が第１の因子で増幅され、
入力光信号の第１の部分が第１の反射検知素子によって受信され、
第１の反射検知素子からの反射されたそれぞれの部分が第２の因子で増幅され、
入力光信号の第２の部分が第３の因子で増幅され、
入力光信号の第２の部分が第２の反射検知素子によって受信され、
第２の反射検知素子からの反射されたそれぞれの部分が第４の因子で増幅されるように、
位置決めされた複数の光増幅器を備え、
第１の因子および第２の因子の和は、第３の因子および第４の因子の和と実質的に等しい、請求項２に記載の装置。
【請求項１４】
少なくとも１つの光バスは、少なくとも１つの光増幅器と、入力光信号の部分が少なくとも１つの光増幅器を２回通過するように構成された少なくとも１つの光反射板とを備える、請求項２に記載の装置。
【請求項１５】
少なくとも１つの光バスは、少なくとも１つの光増幅器と、反射された部分が少なくとも１つの光増幅器を２回通過するように構成された少なくとも１つの光反射板とを備える、請求項２に記載の装置。
【請求項１６】
少なくとも１つの光バスは少なくとも１つの光アイソレータを備える、請求項２に記載の装置。
【請求項１７】
少なくとも１つの光バスは、反射された部分が、少なくとも１つの光検出器によって受
信される前に少なくとも１つの光学フィルタを通過するように位置決めされる少なくとも１つの光学フィルタを備える、請求項２に記載の装置。
【請求項１８】
複数の反射検知素子に光学的に結合されるよう光バスを構成するための方法であって、
複数の光カプラを含む少なくとも１つの光バスを設けるステップを含み、
少なくとも１つの光バスは、入力光信号の少なくとも１つの源に光学的に結合されるよう構成され、少なくとも１つの光検出器に光学的に結合されるよう構成され、複数の光カプラによって複数の反射検知素子に光学的に結合されるよう構成され、
少なくとも１つの光バスは、複数の反射検知素子のうち少なくとも１つの反射検知素子が入力光信号の一部を受信し、受信された部分のうち少なくとも一部を反射するように、入力光信号を少なくとも１つの源から複数の反射検知素子に送信し、
少なくとも１つの光バスは、反射された部分を少なくとも１つの光検出器に送信し、前記方法はさらに、
少なくとも１つの反射検知素子の雑音指数を減ずるよう複数の光カプラの結合比を選択するステップを含む、方法。
【請求項１９】
少なくとも１つの光バスにおける損失を補償するよう入力光信号の部分を増幅するステップをさらに含む、請求項１８に記載の方法。
【請求項２０】
少なくとも１つの光バスにおける損失を補償するよう、反射された部分を増幅するステップをさらに含む、請求項１８に記載の方法。
【請求項２１】
入力光信号の第１の部分を第１の因子で増幅するステップと、
第１の反射検知素子によって入力光信号の第１の部分を受信するステップと、
第１の反射検知素子からのそれぞれの反射された部分を第２の因子で増幅するステップと、
入力光信号の第２の部分を第３の因子で増幅するステップと、
第２の反射検知素子によって入力光信号の第２の部分を受信するステップと、
第２の反射検知素子からの反射された部分を第４の因子で増幅するステップとを含み、
第１の因子および第２の因子の和は、第３の因子および第４の因子の和と実質的に等しい、請求項１８に記載の方法。
【請求項２２】
光増幅器によって入力光信号の部分を増幅するステップと、
光反射板によって入力光信号の部分のうち少なくとも一部を反射するステップと、
前記部分のうち少なくとも一部を光増幅器によって再度増幅するステップとを含む、請求項１８に記載の方法。
【請求項２３】
反射された部分を光増幅器によって増幅するステップと、
反射された部分のうち少なくとも一部を光反射板によって反射するステップと、
反射された部分のうち少なくとも一部を光増幅器によって再度増幅するステップとを含む、請求項１８に記載の方法。
【請求項２４】
ホワイトノイズを除去するステップをさらに含む、請求項１８に記載の方法。
【請求項２５】
複数の反射検知素子に光学的に結合されるよう光バスを構成するための方法であって、
分配バスおよびリターンバスを含む少なくとも１つの光バスを設けるステップを含み、
少なくとも１つの光バスは、入力光信号の少なくとも１つの源に光学的に結合されるよう構成され、少なくとも１つの光検出器に光学的に結合されるよう構成され、複数の反射検知素子に光学的に結合されるよう構成され、
少なくとも１つの光バスは、複数の反射検知素子のうち少なくとも１つの反射検知素子が入力光信号の一部を受信し、受信された部分のうち少なくとも一部を反射するように、入力光信号を少なくとも１つの源から複数の反射検知素子に送信し、
分配バスは、少なくとも１つの源に光学的に結合されるよう構成され、前記分配バスは、少なくとも２つの分配光カプラを備え、前記少なくとも２つの分配光カプラは各々、入力光信号を分配バスに沿って送信される部分と、複数の反射検知素子のうち少なくとも１つの反射検知素子に送信される部分とに分割し、前記リターンバスは少なくとも１つの光検出器に光学的に結合されるように構成され、前記リターンバスは、少なくとも２つのリターン光カプラを含み、前記少なくとも２つのリターン光カプラは各々、複数の反射検知素子の多重反射検知素子からの反射された部分を送信し、前記複数の反射検知素子のうち少なくとも１つの反射検知素子は、少なくとも１つの分配光カプラによって分配バスに光学的に結合され、少なくとも１つの分配光カプラによってリターンバスに光学的に結合されるか、または、少なくとも１つのリターン光カプラによってリターンバスに光学的に結合され、少なくとも１つのリターン光カプラによって分配バスに光学的に結合され、
少なくとも１つの光バスは、反射された部分を少なくとも１つの光検出器に送信し、前記方法はさらに、
少なくとも１つの反射検知素子の雑音指数を減ずるよう少なくとも２つの分配光カプラと少なくとも２つのリターン光カプラとの結合比を選択するステップを含む、方法。